(57)【要約】【課題】別途取付用の部材を使わずにコーナー部材を棚板に確実に取り付けられるとともに、取付作業が容易であるコーナー部材の取付構造を提供すること。【解決手段】棚板６の先端に直線状のプライスカードレール４を装着してなるショーケース１におけるコーナー部材５の取付構造であって、コーナー部材５の側端には挿入片２１、２２が形成され、該挿入片２１、２２を前記棚板６と前記プライスカードレール４の間に設けた間隙１１に上方から挿入させるようにしてプライスカードレール４同士の突合せ部１０に介装し、コーナー部材５を固定できるようにしたこと。【選択図】  図２
2004222928.tif 000002
【特許請求の範囲】
【請求項１】
棚板の先端に直線状のプライスカードレールを装着してなるショーケースにおけるコーナー部材の取付構造であって、コーナー部材の側端には挿入片が形成され、該挿入片を前記棚板と前記プライスカードレールの間に設けた間隙に上方から挿入させるようにしてプライスカードレール同士の突合せ部に介装し、コーナー部材を固定できるようにしたことを特徴とするショーケースにおけるコーナー部材の取付構造。
【請求項２】
前記プライスカードレール背面には、係合溝が形成されており、前記コーナー部材の挿入片を前記係合溝に嵌合させるようにして固定できるようになっている請求項１に記載のショーケースにおけるコーナー部材の取付構造。
【請求項３】
前記コーナー部材の挿入片と前記棚板の間にフェンスを上方から強制的に挿入できるようになっている請求項１または２に記載のショーケースにおけるコーナー部材の取付構造。
【請求項４】
前記コーナー部材は、その背面から係止片が上向きに突出するように延設され、前記フェンスを、前記コーナー部材の挿入片と前記係止片の間に挟持できるようになっている請求項３に記載のショーケースにおけるコーナー部材の取付構造。
【請求項５】
前記コーナー部材をプライスカードレール同士の突合せ部に介装した状態で、前記棚板の側端面同士を締着手段により引き込むように密着させたものである請求項１ないし４の何れかに記載のショーケースにおけるコーナー部材の取付構造。
【発明の詳細な説明】
【０００１】
【発明の属する技術分野】
本発明は、スーパーマーケット等で使用される冷蔵食品や生鮮食品を陳列するラウンド型やコーナー型のショーケースにおける陳列棚のプライスカードレールの突合せ部に取り付けられるコーナー部材の取付構造に関する。
【０００２】
【従来の技術】
従来のショーケースの陳列棚におけるプライスカードレールの突合せ部に、コーナー部材を介装する方法は、コーナー部材を棚板にセットしたあとに、下方からビスを挿入して固定する方法がある。（例えば、特許文献１参照）
【０００３】
また、コーナー部材の側端に突起を形成し、プライスカードレールの端面に凹部を設けて、コーナー部材の突起とプライスカードレールの凹部を係合し、取り付ける方法もある。（例えば、特許文献２参照）
【０００４】
【特許文献１】
実開平６−７７６１７号公報（第２頁、第４図）
【特許文献２】
特開平１１−１４６８１２号公報（第３頁、第６図）
【０００５】
【発明が解決しようとしている課題】
しかしながら、特許文献１にあっては、コーナー部材を取り付けるために、取付用のビスを別途用意しなければならないばかりか、コーナー部材を棚板にセットした後に、棚板の下方よりビスで止めるので、取付作業が面倒である。
【０００６】
特許文献２にあっては、プライスカードレールを棚板に取り付けた後に、コーナー部材を水平方向から取り付けるので、コーナー部材の突起を、取り付け易いように、どちらか一方のプライスカードレールを左右方向にずらして取り付けるか、もしくは、一方のプライスカードレールをコーナー部材の取付後に取り付ける必要があるので、取付作業が繁雑である。
【０００７】
本発明は、このような問題点に着目してなされたもので、別途取付用の部材を使わずにコーナー部材を棚板に確実に取り付けられるとともに、取付作業が容易であるコーナー部材の取付構造を提供することを目的とする。
【０００８】
【課題を解決するための手段】
上記の目的を解決するために、本発明のショーケースにおけるコーナー部材の取付構造は、棚板の先端に直線状のプライスカードレールを装着してなるショーケースにおけるコーナー部材の取付構造であって、コーナー部材の側端には挿入片が形成され、該挿入片を前記棚板と前記プライスカードレールの間に設けた間隙に上方から挿入させるようにしてプライスカードレール同士の突合せ部に介装し、コーナー部材を固定できるようにしたことを特徴としている。
この特徴によれば、別途取付用の部材を使わなくても、挿入片を棚板とプライスカードレールの間隙に上方から挿入させることで、容易にコーナー部材をプライスカードレール同士の突合せ部に取り付けることができるようになる。
【０００９】
本発明のショーケースにおけるコーナー部材の取付構造は、前記プライスカードレール背面には、係合溝が形成されており、前記コーナー部材の挿入片を前記係合溝に嵌合させるようにして固定できるようになっていることが好ましい。
このようにすれば、コーナー部材が上下方向にずれるのを防ぐことができるようになる。
【００１０】
本発明のショーケースにおけるコーナー部材の取付構造は、前記コーナー部材の挿入片と前記棚板の間にフェンスを上方から強制的に挿入できるようになっていることが好ましい。
このようにすれば、コーナー部材の挿入片がフェンスよって押止されるので、コーナー部材を確実に固定させることができるようになる。
【００１１】
本発明のショーケースにおけるコーナー部材の取付構造は、前記コーナー部材は、その背面から係止片が上向きに突出するように延設され、前記フェンスを、前記コーナー部材の挿入片と前記係止片の間に挟持できるようになっていることが好ましい。
このようにすれば、フェンスの挿入時に、このフェンスがコーナー部材の背面と係止片の間に挟み込まれるため、コーナー部材の下部の揺動が防止される。
【００１２】
本発明のショーケースにおけるコーナー部材の取付構造は、前記コーナー部材をプライスカードレール同士の突合せ部に介装した状態で、前記棚板の側端面同士を締着手段により引き込むように密着させたものであることが好ましい。
このようにすれば、棚板同士の隣接する側端面同士が締着手段により締め付けられることで、コーナー部材が、プライスカードレール同士により左右方向から押圧されるので、より強固にコーナー部材を固定させることができるようになる。
【００１３】
【発明の実施形態】
以下、本発明のショーケースにおけるコーナー部材の取付構造の実施例を図面に基づいて説明すると、先ず図１は、本発明の第１実施形態におけるショーケースの全体像を示す斜視図であり、図１の符号１は、スーパーマーケット等で使用される冷蔵食品や生鮮食品を陳列するためのショーケースである。このショーケース１は、四方に開口するアラウンドショーケース１であって、庫内に複数段の陳列棚２があり、一般に店舗の中央寄りに設置し、四方のどこからでも陳列商品を取り出せるようになっている。
【００１４】
陳列棚２の外周縁には、商品が陳列棚２から落下するのを防ぐために、板状のフェンス３があり、また、陳列棚２の先端には、商品の値札等を貼り付けて掲示するために、プライスカードレール４が取り付けられている。この陳列棚２には４つのコーナーがあり、各々のコーナーには、コーナー部材５が取り付けられており、客等が商品を取り出す際に、袖を引っ掛けたり、頭をぶつけたりするのを防げるようになっている。
【００１５】
図２は、陳列棚２のコーナーの斜視図であり、このコーナーは側辺が上面視で傾斜させてある２枚のコーナー用の棚板６の側端面同士を隣接させて、上面視で直角になるように形成させた外方に凸形状のコーナーである。
【００１６】
隣接した棚板６の側端面同士は、棚板６の裏面に設けられる締着手段である複数の蝶ネジ７と蝶ナット８により連結できるようになっており、それぞれの棚板６の先端には、商品の値札９等を掲示するためのプライスカードレール４が取り付けられている。また、プライスカードレール４同士の間の突合せ部１０には、コーナー部材５が介装されており、プライスカードレール４と棚板６の間の間隙１１には、板状のフェンス３が挿設されるようになっている。
【００１７】
プライスカードレール４の具体的構成を図３に基づいて説明すると、図３（ａ）は、プライスカードレール４を示す斜視図であり、（ｂ）は、プライスカードレール４の側面図である。
【００１８】
図３（ａ）に示すプライスカードレール４は、合成樹脂等の材質により形成された上面視で直線状を成し、前面に値札９を取り付けるための掲示面１２があり、値札９を固定するために、装着溝１３が掲示面１２の上下に形成されている。
【００１９】
図３（ｂ）の側面図に示すように、このプライスカードレール４の背面は、上下に二列の突起１４を有し、この突起１４により、その間が係合溝１５になっている。また、下方に隠蔽片１８が垂下するように延設されており、隠蔽片１８の中程から略コ字状の係止条１７が形成され、隠蔽片１８と係止条１７で囲まれた空間に係合溝１６が形成されるようになっている。
【００２０】
次にコーナー部材５の具体的構成を図４に基づいて説明すると、図４（ａ）は、コーナー部材５を示す斜視図であり、（ｂ）は、コーナー部材５の側面図である。
【００２１】
図４（ａ）に示すコーナー部材５は、合成樹脂等の材質により形成されており、上面視で直角の略く字状を成し、外周面はプライスカードレール４の前面と面一のデザインになるように、掲示面１９が形成されており、下部には前記プライスカードレール４の隠蔽片１８と連続する隠蔽片２０が形成されている。
【００２２】
また、コーナー部材５の側端には、横方向に延びた上下二段の挿入片２１、２２が、互いに略平行になるように設けられており、他方の側端にも同様の上下二段の挿入片２１、２２があり、各々が上面視で互いに直角を成すように延設されている。
【００２３】
図４（ｂ）の側面図に示すように、上方の挿入片２１は、図３（ｂ）に示したプライスカードレール４の背面に形成されている上方の係合溝１５に係合することができるように、側面視が長方形状を成し、下方の挿入片２２は傾斜して形成されており、プライスカードレール４の下方の係合溝１６に係合することができるようになっている。
【００２４】
図５は、コーナー部材５を棚板６に取り付ける前の斜視図であり、プライスカードレール４が棚板６に取り付けられた後に、コーナー部材５がプライスカードレール４同士の突合せ部１０に取り付けられるようになっている。
【００２５】
コーナー部材５の挿入片２１、２２は、棚板６とプライスカードレール４の間の間隙１１に上方から挿入されるので、プライスカードレール４が棚板６に取り付けられた後であっても用意に挿入することができるようになっている。
【００２６】
図６は、フェンス３を棚板６に取り付ける前の斜視図であり、コーナー部材５がプライスカードレール４同士の突合せ部１０に取付後に、板状のフェンス３の下部の一部が、プライスカードレール４と棚板６の間隙１１に、強制的に且つ弾性をもって挿入されることにより取り付けられるようになっている。
【００２７】
プライスカードレール４とコーナー部材５の具体的な取付構造を図７から図９に基づいて、より詳しく説明すると、図７は、上述した図５に対応したプライスカードレール４が棚板６に取り付けられたときの側断面図であり、図８は、上述した図６に対応したフェンス３を棚板に取り付けるときの側断面図であり、図９は、上述した図２に対応したコーナー部材５が棚板６に取り付けられたときの側断面図である。
【００２８】
図７の棚板６の先端は、内側に屈曲した係止片２３が形成され、側面視で略コ字状になっている。そしてプライスカードレール４の係止条１７が棚板６の係止片２３に嵌合されることで、プライスカードレール４を棚板６に取り付けることができるようになっている。
【００２９】
符号２４は、棚板６の下面に取り付けられた蛍光灯であり、下段に陳列される商品類を照らせるようになっており、プライスカードレール４の隠蔽片１８が、客等が商品を取る際に蛍光灯２４の光が直接眼に入らないよう隠蔽できるようになっている。
【００３０】
プライスカードレール４が棚板６に取り付けられると、棚板６の前面とプライスカードレール４の背面の間には、間隙１１が形成され、この間隙１１がコーナー部材５の挿入片２１、２２を上方から挿入する空間となる。
【００３１】
次に図８に示すように、プライスカードレール４には係合溝１５、１６が形成されており、コーナー部材５の挿入片２１、２２を間隙１１に挿入する場合、挿入片２１、２２がこれら係合溝１５、１６に嵌合することで、コーナー部材５が上下方向にずれるのを防ぐことができるようになり、また、コーナー部材５が落下するのを防止できるようになる。コーナー部材５を取り付けた後に、この間隙１１の残部には、上方から板状のフェンス３が強制的に挿入される。
【００３２】
次に図９に示すように、この場合板状のフェンス３の幅は、間隙１１の幅より若干厚く形成されており、フェンス３を間隙１１に挿入させることで、コーナー部材５の挿入片２１、２２が押圧されることになり、挿入片２１、２２が係合溝１５、１６から外れるのを効果的に防止されるばかりか、コーナー部材５を確実に固定させることができるようになっている。
【００３３】
更に、図２に示すように、コーナー部材５を介装後に、棚板６の側端面同士を蝶ネジ７と蝶ナット８により強制的に締め付けて密着させれば、コーナー部材５が、両側のプライスカードレール４同士により左右方向から押圧され、より強固にコーナー部材５を固定させることができるようになる。
【００３４】
本発明のコーナー部材の取付構造は、プライスカードレール４を棚板６に取付後に、挿入片２１、２２を棚板６とプライスカードレール４の間の間隙１１に、上方から挿入するだけで取り付けることができるので、コーナー部材５を容易に取り付けることができるようになっている。
【００３５】
次に、第２実施形態に係るショーケースにおけるコーナー部材の取付構造につき、図１０から図１１を参照して説明する。図１０（ａ）は、第２実施形態におけるコーナー部材５’を示す斜視図であり、（ｂ）は、コーナー部材５’の側面図であり、図１１は、コーナー部材５’が棚板６’に取り付けられたときの上面図である。
【００３６】
図１０（ａ）に示すコーナー部材５’は、合成樹脂等の材質により形成されており、上面視で直角の略く字状を成し、外周面には掲示面１９’が形成されており、コーナー部材５’の側端には、横方向に延びた挿入片２１’が設けられている。他方の側端にも同様の挿入片２１’を有し、各々が上面視で互いに直角を成すように延設されている。
【００３７】
コーナー部材５’の背面には隠蔽片２０’が下方に垂下するように延設されており、この隠蔽片２０’の中程から２本の係止片２２’が上向きに突出するように延設されている。図１０（ｂ）に示されるように、この係止片２２’は側面視で略く字状を成し、合成樹脂等の材質により弾性変形自在に形成されており、後述するように、コーナー部材５’を棚板６’に取り付けた後に、コーナー部材５’の挿入片２１’と係止片２２’の間にフェンス３’が挿設できるようになっている。
【００３８】
図１１に示されるように、２枚のコーナー用の棚板６’は、互いの側端面同士を隣接させて、上面視で直角になるように形成されている。それぞれの棚板６’は１枚の板の端部を折曲させて形成されているとともに、それぞれの角部には切欠きが形成されており、２枚の棚板６’を隣接させたときに、切欠部２５が形成されるようになっており、この切欠部２５には、棚板６’に取り付けられたプライスカードレール４’同士の突合せ部１０’に取り付けられるコーナー部材５’の２本の係止片２２’が配置されるようになっている。
【００３９】
このように構成されるコーナー部材５’は、プライスカードレール４’が棚板６’に取り付けられた後に、コーナー部材５’の挿入片２１’を棚板６’とプライスカードレール４’の間の間隙に上方から挿入させることで、容易に取り付けることができる。
【００４０】
プライスカードレール４’の背面には、前述した第１実施形態と同様な係合溝が形成されており、この係合溝にコーナー部材５’の挿入片２１’が嵌合されることで、コーナー部材５’が上下方向にずれるのが防止され、コーナー部材５’の落下も防止されることになる。コーナー部材５’を取り付けた後に、この間隙の残部には、上方から板状のフェンス３’が強制的に挿入される。
【００４１】
このように構成されたコーナー部材５’が突合せ部１０’に取り付けられた状態において、プライスカードレール４’と棚板６’の間に挿設されたフェンス３’の端部がコーナー部材５’の挿入片２１’と係止片２２’の間に挟み込まれるため、コーナー部材５’の下部の揺動が防止される。
【００４２】
また、板状のフェンス３’の幅は、間隙の幅より若干厚く形成されており、フェンス３’を間隙に挿入させることで、コーナー部材５’の挿入片２１’が押圧されることになり、挿入片２１’が係合溝から外れるのを効果的に防止されるばかりか、フェンス３’の端部がコーナー部材５’の挿入片２１’と係止片２２’の間に挿設されることで、コーナー部材５’を確実に固定させることができるようになっている。
【００４３】
更に、コーナー部材５’の介装後に、棚板６’の側端面同士を蝶ネジ７’と蝶ナット８’により強制的に締め付けて密着させれば、コーナー部材５’が、両側のプライスカードレール４’同士により左右方向から押圧され、より強固にコーナー部材５’を固定させることができるようになる。
【００４４】
第１実施形態では、挿入片が上下二段の構成となっていたが、本発明にあっては必ずしも二段である必要はなく、上記第２実施形態のように、上方の一対の挿入片２１’だけであっても棚板６’に取り付けることができる。その際にコーナー部材５’の下部の揺動防止のために、コーナー部材５’の挿入片２１’とフェンス３’を挟んで対応する位置に、係止片２２’を設けることが効果的である。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
【発明の効果】
本発明は以下の効果を奏する。
【００４７】
（ａ）請求項１に記載の発明によれば、別途取付用の部材を使わなくても、挿入片を棚板とプライスカードレールの間隙に上方から挿入させることで、容易にコーナー部材をプライスカードレール同士の突合せ部に取り付けることができるようになる。
【００４８】
（ｂ）請求項２に記載の発明によれば、コーナー部材が上下方向にずれるのを防ぐことができるようになる。
【００４９】
（ｃ）請求項３に記載の発明によれば、コーナー部材の挿入片がフェンスよって押止されるので、コーナー部材を確実に固定させることができるようになる。
【００５０】
（ｄ）請求項４に記載の発明によれば、フェンスの挿入時に、このフェンスがコーナー部材の背面と係止片の間に挟み込まれるため、コーナー部材の下部の揺動が防止される。
【００５１】
（ｅ）請求項５に記載の発明によれば、棚板同士の隣接する側端面同士が締着手段により締め付けられることで、コーナー部材が、プライスカードレール同士により左右方向から押圧されるので、より強固にコーナー部材を固定させることができるようになる。
【図面の簡単な説明】
【図１】本発明の第１実施形態におけるアラウンドショーケースの全体像を示す斜視図である。
【図２】陳列棚におけるコーナーの斜視図である。
【図３】（ａ）は、プライスカードレールを示す斜視図であり、（ｂ）は、プライスカードレールの側面図である。
【図４】（ａ）は、コーナー部材を示す斜視図であり、（ｂ）は、コーナー部材の側面図である。
【図５】コーナー部材を棚板に取り付けるときの斜視図である。
【図６】フェンスを棚板に取り付けるときの斜視図である。
【図７】コーナー部材を棚板に取り付けるときの側断面図である。
【図８】フェンスを棚板に取り付けるときの側断面図である。
【図９】コーナー部材が棚板に取り付けられたときの側断面図である。
【図１０】（ａ）は、第２実施形態におけるコーナー部材を示す斜視図であり、（ｂ）は、コーナー部材の側面図である。
【図１１】コーナー部材が棚板に取り付けられたときの上面図である。
【符号の説明】
１              ショーケース
２              陳列棚
３、３’        フェンス
４、４’        プライスカードレール
５、５’        コーナー部材
６、６’        棚板
７、７’        蝶ネジ
８、８’        蝶ナット
９              値札
１０、１０’    突合せ部
１１            間隙
１２            掲示面
１３            装着溝
１４            突起
１５、１６      係合溝
１７            係止条
１８            隠蔽片
１９、１９’    掲示面
２０、２０’    隠蔽片
２１、２２      挿入片
２１’          挿入片
２２’          係止片
２３            係止片
２４            蛍光灯
２５            切欠部
【図１】
2004222928.tif 000003
【図２】
2004222928.tif 000004
【図３】
2004222928.tif 000005
【図４】
2004222928.tif 000006
【図５】
2004222928.tif 000007
【図６】
2004222928.tif 000008
【図７】
2004222928.tif 000009
【図８】
2004222928.tif 000010
【図９】
2004222928.tif 000011
【図１０】
2004222928.tif 000012
【図１１】
2004222928.tif 000013